(57)【要約】【課題】端子金具の極数変更に対応することが可能な基板用コネクタを提供する。【解決手段】基板用コネクタ１０は、回路基板９０の表面に互いに隣接して設置され、それぞれ受け部２６を有するハウジング２０と、互いに隣接するハウジング２０にまたがって配置され、回路基板９０に固定される固定部６１を有するとともに、ハウジング２０が回路基板９０の表面から離れる方向でそれぞれのハウジング２０の受け部２６と当接することによってハウジング２０の回路基板９０からの離脱を規制する係止部６２を有する連結部材６０とを備える。【選択図】図１
2015026474.tif 000002
【特許請求の範囲】
【請求項１】
回路基板の表面に互いに隣接して設置され、それぞれ受け部を有するハウジングと、
互いに隣接する前記ハウジングにまたがって配置され、前記回路基板に固定される固定部を有するとともに、前記ハウジングが前記回路基板の表面から離れる方向でそれぞれの前記ハウジングの前記受け部と当接することによって前記ハウジングの前記回路基板からの離脱を規制する係止部を有する連結部材とを備えることを特徴とする基板用コネクタ。
【請求項２】
前記受け部と前記係止部のいずれか一方は凹状の形態で、他方は凸状の形態とされ、前記一方に前記他方が圧入して嵌合されることを特徴とする請求項１記載の基板用コネクタ。
【請求項３】
前記係止部は、隣接する前記ハウジングが互いに離れる方向でそれぞれの前記ハウジングの前記受け部と当接することによって隣接する前記ハウジングの相互の離間を規制することを特徴とする請求項１又は２記載の基板用コネクタ。
【発明の詳細な説明】
【技術分野】
【０００１】
本発明は、基板用コネクタに関する。
【背景技術】
【０００２】
特許文献１に開示の基板用コネクタは、プリント回路基板の表面に設置されるハウジングを備えている。ハウジングは、取付部を有し、取付部を介してプリント回路基板に固定される。また、ハウジングには、複数の端子金具が装着されている。各端子金具は、回路基板の対応するスルーホールに挿入されて接続される。
【先行技術文献】
【特許文献】
【０００３】
【特許文献１】特開２００６−１７３００３号公報
【発明の概要】
【発明が解決しようとする課題】
【０００４】
ところで、この種の基板用コネクタの場合、端子金具の極数変更に対応できるように、基板用コネクタを複数の分割コネクタに分割して、回路基板の表面に各分割コネクタを並べて設置することがあった。しかし、それぞれの分割コネクタを互いに近接して配置させることが構造的に難しいことが多く、極数変更に対応することができないこともあった。
【０００５】
本発明は上記のような事情に基づいて完成されたものであって、端子金具の極数変更に対応することが可能な基板用コネクタを提供することを目的とする。
【課題を解決するための手段】
【０００６】
本発明の基板用コネクタは、回路基板の表面に互いに隣接して設置され、それぞれ受け部を有するハウジングと、互いに隣接する前記ハウジングにまたがって配置され、前記回路基板に固定される固定部を有するとともに、前記ハウジングが前記回路基板の表面から離れる方向でそれぞれの前記ハウジングの前記受け部と当接することによって前記ハウジングの前記回路基板からの離脱を規制する係止部を有する連結部材とを備えるところに特徴を有する。
【発明の効果】
【０００７】
複数のハウジングが回路基板に設置された状態で、連結部材が互いに隣接するハウジングにまたがって配置されて、連結部材の固定部が回路基板に固定され、且つ、連結部材の係止部がそれぞれのハウジングの受け部と当接することによってハウジングの回路基板からの離脱が規制されるため、連結部材を介して、互いに隣接するハウジングが当接又は近接した状態に保持される。したがって、端子金具の極数変更に応じて、回路基板の表面に必要数のハウジングを高密度に並べることが可能となる。また、隣接するハウジング間の固定手段を１つの連結部材で共用することができるため、部品点数を削減することができる。
【図面の簡単な説明】
【０００８】
【図１】本発明の実施例１の基板用コネクタが回路基板の表面に実装された状態を示す背面図である。
【図２】Ａ−Ａ線断面図である。
【図３】基板用コネクタの背面図である。
【図４】基板用コネクタの正面図である。
【図５】連結部材の背面図である。
【図６】連結部材の底面図である。
【図７】実施例２の連結部材の固定部が回路基板に固定された状態を示す部分拡大正面図である。
【図８】実施例３の連結部材の固定部が回路基板に固定された状態を示す拡大正面図である。
【図９】実施例４の連結部材の係止部の拡大背面図である。
【図１０】実施例５の連結部材の係止部における３態様の拡大背面図である。
【発明を実施するための形態】
【０００９】
本発明の好ましい形態を以下に示す。
前記受け部と前記係止部のいずれか一方は凹状の形態で、他方は凸状の形態とされ、前記一方に前記他方が圧入して嵌合される。これにより、ハウジングと連結部材との一体性が高められ、相互の連結状態が良好に維持される。
【００１０】
前記係止部は、隣接する前記ハウジングが互いに離れる方向でそれぞれの前記ハウジングの前記受け部と当接することによって隣接する前記ハウジングの相互の離間を規制する。これにより、隣接するハウジングが互いに当接又は近接した状態がより良好に保持される。
【００１１】
＜実施例１＞
本発明の実施例１を図１〜図６によって説明する。実施例１の基板用コネクタ１０は、図１に示すように、プリント回路基板（以下、回路基板９０という）に実装されるものであって、ハウジング２０と、端子金具４０と、連結部材６０とを備えている。
【００１２】
ハウジング２０は合成樹脂製であって、図３及び図４に示すように、略角筒状のフード部２１を備えている。フード部２１は、図示しない相手ハウジングとの嵌合側となる前方へ向けて開口する形態とされている。フード部２１の上壁外面、下壁外面及び両側壁外面はいずれもほぼ平坦な形状をなし、外側に突出する部分を有していない。図１に示すように、回路基板９０への実装時には、複数（図示する場合は２つ）のハウジング２０が幅方向に並列に配置され、隣接するハウジング２０間で相互のフード部２１の両側壁外面を互いにほぼ当接させた状態になっている。
【００１３】
一方、図４に示すように、フード部２１の上壁内面の幅方向中央部には、図示しない相手ハウジングのロック部を受けて両ハウジングを嵌合状態に保持することが可能なロック受け部２２が設けられている。また、フード部２１の上壁内面におけるロック受け部２２を挟んだ両側と、フード部２１の下壁内面とには、幅方向に一対ずつの板状壁２３が設けられている。これら板状壁２３は、両ハウジングの嵌合動作を案内するとともに、両ハウジングが互いに逆向きの姿勢で誤って嵌合されるのを防止する役割をはたす。また、フード部２１内には、複数の端子金具４０が突出して配置されている。
【００１４】
端子金具４０は導電性の帯状の金属板であって、図２に示すように、側面視略Ｌ字形をなし、前後方向に略水平に延出する水平部４１と、水平部４１の後端から下方へ略垂直に延出する垂直部４２とからなる。水平部４１は、フード部２１の奥壁に圧入又はインサートにより装着された状態で、その前端部がフード部２１内に臨み、フード部２１内に挿入される相手ハウジングに装着された図示しない相手端子金具と接続可能とされている。また、垂直部４２は、ハウジング２０の後面後方にて同後面とほぼ平行に対向して配置され、その下端部が回路基板９０のスルーホール９１に挿入され、回路基板９０の導電路に半田接続されるようになっている。なお、実施例１の場合、垂直部４２の下端部は、二股に分岐した構造になっている。
【００１５】
また、図３に示すように、フード部２１の奥壁の外面には、高さ方向及び幅方向に延びるリブ２４が突設されている。リブ２４の後端面には、端子金具４０の水平部４１が引き出される引出口２５が開口され、さらに、下端側縁寄りの位置に、受け部２６が凹設されている。受け部２６は、幅方向に延びてフード部２１の両側壁外面に開口する形態とされ、図１に示すように、ハウジング２０の回路基板９０への実装時に、隣接して相手側のハウジング２０が配置される場合には、その相手側のハウジング２０に設けられた相手側の受け部２６と幅方向に同軸で連通して配置されるようになっている。また、受け部２６には、その開口端とは反対側の端部に、高さ方向への開口寸法を拡張させたアリ溝状の拡張凹部２７が設けられている。
【００１６】
連結部材６０は合成樹脂製であって、図１に示すように、回路基板９０の表面に設置された状態で、互いに隣接するハウジング２０にまたがって配置され得る。具体的には連結部材６０は、図５及び図６に示すように、回路基板９０に固定される固定部６１と、ハウジング２０の受け部２６に嵌合して係止される係止部６２とを有している。
【００１７】
固定部６１は、図２に示すように、高さ方向に段違いに配置された水平板状の複数のステージ部６３と、図５に示すように、各ステージ部６３の幅方向両端につながって高さ方向に起立する垂直板状の一対の側板部６４とを有している。図６に示すように、各ステージ部６３のうち、下側のステージ部６３の内縁には、後方に開口する下側円弧縁が形成され、上側のステージ部６３の内縁には、前方へ向けて開口する上側円弧縁が形成されている。図１に示すように、固定部６１の前面には、上側のステージ部６３の前方に、窓部６６が開口して設けられている。図６に示すように、連結部材６０を底面視すると、上側円弧縁と下側円弧縁とが周方向で連続して、固定部６１の中心に底面視円形の孔６５が画成される。図２に示すように、固定部６１の孔６５には、下方から回路基板９０の貫通孔９２を貫通したネジ８０が挿入され、ネジ８０が各ステージ部６３に螺合されることにより、固定部６１が回路基板９０に固定されるようになっている。
【００１８】
係止部６２は、平板状をなし、固定部６１の上面に一体に連結されて後方及び幅方向両側方に張り出す形態とされている。図５に示すように、係止部６２の幅方向両端には、高さ方向への厚みを拡張させた一対のアリ状の拡張凸部６７が設けられている。また、係止部６２の後端側の張り出し部分は、回路基板９０への実装時にハウジング２０の受け部２６に圧入可能とされる。この場合、図１に示すように、隣接するハウジング２０の幅方向中央部に位置して両ハウジング２０間で互いに連通状態になる一対の受け部２６（以下、中央受け部２６Ａという）には、係止部６２の全幅部分（幅方向の片側半分ずつ）が圧入され、隣接するハウジング２０の幅方向両端部に位置して幅方向側方に開放された一対の受け部２６（以下、端部受け部２６Ｂという）には、係止部６２の幅方向の片側部分が圧入される。
【００１９】
係止部６２の全幅部分が中央受け部２６Ａに圧入されると、係止部６２の張り出し部分が中央受け部２６Ａの内壁に当接して配置され、これによって両ハウジング２０の回路基板９０からの離脱が規制される。また、係止部６２が中央受け部２６Ａに圧入されると、両拡張凸部６７が中央受け部２６Ａの幅方向両端側に位置する一対の拡張凹部２７内に挿入される。こうして両拡張凸部６７が両拡張凹部２７に当接して配置されることにより、両ハウジング２０が幅方向に引き離されるのが防止される。
【００２０】
次に、基板用コネクタ１０の回路基板９０への実装方法について説明する。
まず、２つのハウジング２０が幅方向に互いにほぼ当接した状態で並べられ、その状態で互いに隣接する受け部２６となる中央受け部２６Ａに、連結部材６０の係止部６２の全幅部分が圧入され、さらに両ハウジング２０の幅方向両端側の受け部２６となる端部受け部２６Ｂに、連結部材６０の係止部６２の幅方向片側部分が圧入される。両ハウジング２０の中央受け部２６Ａに係止部６２の全幅部分が圧入されることにより、両ハウジング２０が連結部材６０を介して緊密に一体保持される。続いて、両ハウジング２０が回路基板９０の表面に載置される。すると、両ハウジング２０に装着された各端子金具４０が回路基板９０の対応するスルーホール９１に挿入される。その後、各端子金具４０は回路基板９０の導電路に半田付けして接続される。
【００２１】
一方、連結部材６０は両ハウジング２０とともに回路基板９０の表面に載せられ、それに伴い、連結部材６０の固定部６１の孔６５が回路基板９０の貫通孔９２と連通した状態となる。そこで、回路基板９０の貫通孔９２に裏面側からネジ８０が挿入されて固定部６１の孔６５にねじ込まれ、ネジ８０の頭部８１が回路基板９０の裏面に当て止めされた状態で、連結部材６０が回路基板９０の表面に固定される。それとともに、両ハウジング２０が連結部材６０を介して回路基板９０に固定される。もっとも、両ハウジング２０がそれぞれ回路基板９０の表面に載置された後、各受け部２６に、連結部材６０の係止部６２が圧入される手順をとっても構わない。
【００２２】
以上説明したように実施例１によれば、連結部材６０が互いに隣接するハウジング２０にまたがって配置され、連結部材６０の係止部６２が両ハウジング２０の中央受け部２６Ａに圧入されることにより、両ハウジング２０の当接状態が保持され、且つ、連結部材６０の固定部６１がネジ８０を介して回路基板９０に固定されることにより、両ハウジング２０の回路基板９０からの離脱も規制されるため、端子金具４０の極数変更に応じて、回路基板９０の表面に必要数のハウジング２０を高密度に並べて保持することが可能となる。また、隣接するハウジング２０間の固定手段を１つの連結部材６０でまかなうことができるため、部品点数を削減することができる。
【００２３】
＜実施例２＞
図７は、本発明の実施例２を示す。実施例２は、連結部材６０Ａの固定部６１Ａの形態が実施例１とは異なる。固定部６１Ａは、係止部６２から連続して下方へ突出する一対の弾性片６８を有している。両弾性片６８の外面には抜止突起６９が設けられている。実施例２の場合、連結部材６０Ａが回路基板９０に取り付けられる過程で、抜止突起６９が回路基板９０の貫通孔９２の内面を摺動して、両弾性片６８が互いに接近する方向となる内側に撓み変形させられる。連結部材６０Ａが回路基板９０に正規に取り付けられると、両弾性片６８が復帰方向となる外側に弾性変位して、両弾性片６８の抜止突起６９が回路基板９０の裏面側に引っ掛け係止される。これにより、連結部材６０Ａが回路基板９０に抜け止めされ、さらに、係止部６２を介してハウジング２０も回路基板９０に抜け止めされる。実施例２によれば、別体のネジ８０が不要となるのに加え、ネジ締め作業も不要となるため、回路基板９０に連結部材６０Ａを固定する際の作業性が良好となる。実施例２のその他の構成は実施例１と同様である。
【００２４】
＜実施例３＞
図８は、本発明の実施例３を示す。実施例３は、連結部材６０Ｂの固定部６１Ｂの形態が実施例１とは異なる。固定部６１Ｂは、係止部６２から連続して下方へ突出する略円柱状のリベット部７１を有している。連結部材６０Ｂが回路基板９０に取り付けられると、リベット部７１の下端部が回路基板９０の裏面側に臨み、その状態で、該下端部が加締められて塑性変形させられる。これにより、連結部材６０Ｂが回路基板９０に抜け止めされ、さらに、係止部６２を介して保持状態にある隣接するハウジング２０も回路基板９０に抜け止めされる。実施例３のその他の構成は実施例１と同様である。
【００２５】
＜実施例４＞
図９は、本発明の実施例４を示す。実施例４は、連結部材６０Ｃの係止部６２Ｃの形態が実施例１とは異なる。また、図示はしないが、受け部２６は、ハウジング２０の後端面（フード部２１の奥壁外面）から後方へ突出する形態とされている。
【００２６】
係止部６２Ｃは、受け部２６が挿入される凹部７２と、凹部７２の上端部を覆うように延びる一対の弾性係止片７３とを有している。両弾性係止片７３は、互いに対向しつつ内側へ延びる形態とされ、内端にて下方へ突出する突起７４を有している。
【００２７】
連結部材６０Ｃがハウジング２０に組み付けられると、係止部６２Ｃの凹部７２内に、両ハウジング２０の受け部２６が挿入される。この場合、弾性係止片７３が突起７４とともに受け部２６に弾性係止されることにより、凹部７２内に受け部２６が嵌合状態に保持される。これにより、隣接するハウジング２０が互いに当接した状態で連結部材６０Ｃを介して緊密に一体保持される。実施例４のその他の構成は実施例１と同様である。
【００２８】
＜実施例５＞
図１０（Ａ）〜（Ｃ）は、本発明の実施例５を示す。実施例５は、連結部材６０Ｄの係止部６２Ｄの形態が実施例１とは異なる。また、図示はしないが、受け部２６は、ハウジング２０の後端面（フード部２１の奥壁外面）から後方へ突出する形態とされている。
【００２９】
係止部６２Ｄは、受け部２６が挿入される凹部７２Ｄと、凹部７２Ｄの上端部を覆うように延びる一対の係止片７５とを有している。両係止片７５の内端はスリット７６を介して対向して配置され、凹部７２Ｄは、受け部２６側に臨む係止部６２Ｄの後面と、スリット７６を通して係止部６２Ｄの上面とに開口する形態とされている。凹部７２Ｄは、図１０（Ａ）ではスリット７６側から幅方向両端へ向けてその下辺部が上向きに傾斜するように高さ寸法が小さくなる形態とされ、図１０（Ｂ）ではスリット７６側から幅方向両側へ向けて上辺部が下向きに傾斜するように高さ寸法が小さくなる形態とされ、図１０（Ｃ）ではスリット７６側から幅方向両端部に円形に拡張した開口部７７を有する形態とされている。この場合に、ハウジング２０の受け部２６は、図１０（Ａ）〜（Ｃ）におけるそれぞれの凹部７２Ｄのスリット７６を挟んだ幅方向両側のうちの片側の部分と対応する形状をなしている。
【００３０】
連結部材６０Ｄがハウジング２０に組み付けられると、係止部６２Ｄの凹部７２Ｄ内に、ハウジング２０の受け部２６が圧入される。これにより、隣接するハウジング２０が互いに当接した状態で連結部材６０Ｄを介して緊密に一体保持される。実施例５のその他の構成は実施例１と同様である。
【００３１】
＜他の実施例＞
本発明は上記記述及び図面によって説明した実施例に限定されるものではなく、例えば次のような態様も本発明の技術的範囲に含まれる。
（１）隣接するハウジングが連結部材を介して当接せずに近接して配置されるものであってもよい。
（２）回路基板の表面には、３つ以上のハウジングが並べて設置されるものであってもよい。
（３）互いに隣接するハウジングは、それぞれ異形状又は異なるサイズで構成されるものであってもよい。
（４）隣接するハウジングの幅方向両端側に位置する端部受け部には、連結部材が装着されない構成であってもよい。
（５）連結部材は、ヒンジ等を介して、ハウジングと一体に連結される構造であってもよい。
（６）連結部材は金属製の板材であってもよい。この場合、連結部材の固定部は、回路基板の表面に半田付けして固定されるものであってもよい。
【符号の説明】
【００３２】
１０…基板用コネクタ
２０…ハウジング
２６…受け部
４０…端子金具
６０、６０Ａ、６０Ｂ、６０Ｃ、６０Ｄ…連結部材
６１、６１Ａ、６１Ｂ…固定部
６２、６２Ｃ、６２Ｄ…係止部
９０…回路基板
【図１】
2015026474.tif 000003
【図２】
2015026474.tif 000004
【図３】
2015026474.tif 000005
【図４】
2015026474.tif 000006
【図５】
2015026474.tif 000007
【図６】
2015026474.tif 000008
【図７】
2015026474.tif 000009
【図８】
2015026474.tif 000010
【図９】
2015026474.tif 000011
【図１０】
2015026474.tif 000012